(57)【要約】      （修正有）【課題】既存の照明設備に容易に設けることができるだけでなく、交換による照明死角領域の発生を最小化するＬＥＤ照明灯を提供する。【解決手段】全周又は壁面などに設けられるＬＥＤ照明灯に関するものであって、全周又は壁面に固定設置される固定用ブラケットを含む固定枠１０、該固定枠１０の両側面に固定枠１０の長さ方向と平行な軸を中心に回転可能に設けられ、多数のＬＥＤが備えられたＬＥＤパネル４０が各々装着される一対のＬＥＤハウジング２０、及び固定枠１０に設けられ、ＬＥＤパネル４０に電流を供給する電源供給装置３０を含む。【選択図】図３
0003155960.tif 000002
【実用新案登録請求の範囲】
【請求項１】
全周又は壁面に固定設置される固定用ブラケットを含む固定枠、
前記固定枠の両側面に上記固定枠の長さ方向と平行な軸を中心に回転可能に設けられ、多数のＬＥＤが備えられたＬＥＤパネルが各々装着される一対のＬＥＤハウジング、及び
前記固定枠に設けられ、前記ＬＥＤパネルに電流を供給する電源供給装置を含むＬＥＤ照明灯。
【請求項２】
前記ＬＥＤハウジングは、コ字状の断面を有し、表面に前記ＬＥＤパネルから発生する熱を外部に効果的に放出するための多数の放熱ピンが形成され、圧出成型によって製作される胴体部、及び
前記胴体部の両端に結合され、表面に多数の放熱ピンが形成された蓋部を含み、
前記固定枠又は前記ＬＥＤハウジングは、前記ＬＥＤハウジング各々の回転位置を固定させるための固定手段を更に備えることを特徴とする請求項１に記載のＬＥＤ照明灯。
【請求項３】
前記固定枠と前記ＬＥＤハウジングは、前記ＬＥＤハウジングの回転中心となる軸部材と前記軸部材を回転可能な状態に収容する連結部材のうち、互いに異なる一つを各々備え、
前記固定手段は、前記連結部材に前記軸部材に向いて突出可能であるように設けられるボルト部材であることを特徴とする請求項２に記載のＬＥＤ照明灯。
【請求項４】
前記固定枠の左右側面にはＣ字状の断面を有する第１曲面部と、前記第１曲面部から前記固定枠の内側まで貫通された貫通孔が形成された連結部材が設けられるか、又は一体に形成され、
前記ＬＥＤハウジングの一側面には、前記第１曲面部に部分的に収容されるように前記第１曲面部の直径より小さい直径のＣ字状の断面を有する第２曲面部が形成され、
前記第２曲面部の内側には、半径方向に沿って前記貫通孔と一致する連結孔が形成された円筒状の軸部材が更に設けられ、
前記貫通孔と前記連結孔を通して設けられるボルトとナットの締めと緩み状態によって、前記第１曲面部と前記軸部材の間に嵌められた前記第２曲面部の位置が固定されるか、又は前記第２曲面部の位置が調整されることを特徴とする請求項２に記載のＬＥＤ照明灯。
【考案の詳細な説明】
【技術分野】
【０００１】
本考案は、街路灯や建物の壁面のような高い所に設置される照明灯に関するものであって、更に詳しくは、隣り合った照明灯との設置距離差によって照明死角が生じることを最小化できるように照明角度を調節することができるＬＥＤ照明灯（Ａ  ＬＥＤ  Ｌｉｇｈｔｉｎｇ  Ｌａｍｐ）に関するものである。
【背景技術】
【０００２】
最近、エネルギー過多消費による資源の浪費、及び省エネルギーに対する関心が高まり、蛍光灯や白熱灯、又はネオン灯を、電力の消耗が少なく、且つ相対的に輝度の高いＬＥＤ（又はＬＥＤ照明灯）に交換することを積極的に勧めるか、又はこれを実質的に行っている。
【０００３】
ＬＥＤ照明灯（多数のＬＥＤからなる照明装置）は上記で言及したように、電力の消耗が少なく、高い輝度を有するため、信号灯や広告用照明装置として広く用いられており、最近は既存の照明設備の照明灯（例えば、蛍光灯やネオン灯）の代わりに交換されたか、交換される予定である。
【０００４】
しかし、このようなＬＥＤ照明灯は、従来の照明灯と比べて輝度は高いが、照明範囲が狭い。従って、図１に示したように、ＬＥＤ照明灯を従来のネオン灯が設けられた街路灯２００に設置する場合、街路灯２００と街路灯２００との間に、照明が当たらない死角領域が発生する。
【０００５】
即ち、従来の街路灯２００は（実線で示されているように）、比較的に照明範囲の広いネオン灯を基準として設けられたため、このような街路灯２００にそのままＬＥＤ照明灯を設ける場合、（点線で示されているように）照明範囲が相対的に狭くなり、照明の当たらない暗い死角領域が発生するのである。
【０００６】
このような理由から、最近は図２に示したように、ＬＥＤ照明灯２１０のＬＥＤパネル２２０を曲線形態に製作して照明範囲の拡張を図っている。しかし、曲線形態のＬＥＤパネル２２０は、内部に他の電子部品の設置が容易ではない上に、製作することも難しいため、照明設備に実質的に採択されて用いられることはよくない。
【考案の概要】
【考案が解決しようとする課題】
【０００７】
本考案は上記のような問題を解決するためのものであって、既存の照明設備に容易に設けることができるだけでなく、交換による照明死角領域の発生を最小化するＬＥＤ照明灯を提供することを目的としている。
【課題を解決するための手段】
【０００８】
上記目的を達成するための本考案の一実施例によると、全周又は壁面に固定設置される固定用ブラケットを含む固定枠、前記固定枠の両側面に上記固定枠の長さ方向と平行な軸を中心に回転可能に設けられ、多数のＬＥＤが備えられたＬＥＤパネルが各々装着される一対のＬＥＤハウジング、及び前記固定枠に設けられ、前記ＬＥＤパネルに電流を供給する電源供給装置を含むＬＥＤ照明灯が提供される。
【０００９】
好ましくは、前記ＬＥＤハウジングは、コ字状の断面を有し、表面に前記ＬＥＤパネルから発生する熱を外部に効果的に放出するための多数の放熱ピンが形成され、圧出成型によって製作される胴体部、及び前記胴体部の両端に結合され、表面に多数の放熱ピンが形成された蓋部を含むことが良い。
【００１０】
更に好ましくは、前記固定枠又は前記ＬＥＤハウジングは、前記ＬＥＤハウジング各々の回転位置を固定させるための固定手段を更に備えることが良い。
【００１１】
また、前記固定枠と前記ＬＥＤハウジングは、前記ＬＥＤハウジングの回転中心となる軸部材と前記軸部材を回転可能な状態に収容する連結部材のうち、互いに異なる一つを各々備え、前記固定手段は、前記連結部材に前記軸部材に向いて突出可能に設けられるボルト部材であることが良い。
【００１２】
また、本考案の他の実施形態であって、前記固定枠の左右側面にはＣ字状の断面を有する第１曲面部と、前記第１曲面部から前記固定枠の内側まで貫通された貫通孔が形成された連結部材が設けられるか、又は一体に形成され、前記ＬＥＤハウジングの一側面には、前記第１曲面部に部分的に収容されるように前記第１曲面部の直径より小さい直径のＣ字状の断面を有する第２曲面部が形成され、前記第２曲面部の内側には、半径方向に沿って前記貫通孔と一致する連結孔が形成された円筒状の軸部材が更に設けられ、前記貫通孔と前記連結孔を通して設けられるボルトとナットの締めと緩み状態によって、前記第１曲面部と前記軸部材の間に嵌められた前記第２曲面部の位置が固定されるか、又は前記第２曲面部の位置が調整されることが良い。
【考案の効果】
【００１３】
本考案は、既存の照明設備に容易に設置できるだけでなく、既存の照明灯と大体類似した照明範囲を保障することができるため、既存の照明灯をＬＥＤ灯に交換することによって発生した照明死角を確実に最小化することができる。
【００１４】
従って、本考案によると、既存の照明設備の老朽で、且つ電極消費の高い照明灯をＬＥＤ照明灯に交換することが円滑に行われ、これにより、エネルギー節約効果を極大化することができる。
【図面の簡単な説明】
【００１５】
【図１】従来街路灯と従来街路灯をＬＥＤ照明に交換した際の照明範囲を示す概略図である。
【図２】図１に示した街路灯やその他の外部照明として使用される従来のＬＥＤ照明灯を示した概略図である。
【図３】本考案の第１実施例によるＬＥＤ照明灯の部分分離斜視図である。
【図４】図３に示されたＬＥＤ照明灯の結合斜視図である。
【図５】図４に示された固定枠とＬＥＤハウジングの連結部分を詳細に示した部分断面図である。
【図６】図４に示されたＬＥＤ照明灯の設置例を各々示した概略図である。
【図７】図４に示されたＬＥＤ照明灯の設置例を各々示した概略図である。
【図８】本考案の第２実施例によるＬＥＤ照明灯の部分分離斜視図である。
【図９】本考案の第２実施例による固定枠とＬＥＤハウジングの連結部分を詳細に示した部分断面図である。
【考案を実施するための形態】
【００１６】
以下、本考案の好ましい実施例を添付された例示図面によって詳細に説明する。
【００１７】
以下、本考案の説明において、本考案の構成要素を指す用語は各々の構成要素の機能を考慮して名づけられたものであって、本考案の技術的構成要素を限定する意味として理解されてはいけない。
【実施例１】
【００１８】
図３は本考案の第１実施例によるＬＥＤ照明灯の部分分離斜視図であり、図４は図３に示されたＬＥＤ照明灯の結合斜視図であり、図５は図４に示された固定枠とＬＥＤハウジングの連結部分を詳細に示した部分断面図であり、図６及び図７は図４に示されたＬＥＤ照明灯の設置例を各々示した概略図である。
【００１９】
本考案の第１実施例によるＬＥＤ照明灯１００は図３及び図４に示されたように、固定枠１０、一対のＬＥＤハウジング２０、電源供給装置３０、一対のＬＥＤパネル４０、一対の連結部材６０、一対の軸部材７０を含む。
【００２０】
固定枠１０はＬＥＤ照明灯１００の基本筺部をなす部材であって、他の部材や装置を収容できるように、一面（図３基準で正面）が開放された全体的に直六面体の形態を有する。固定枠１０は街路灯２００の全周（図６参照）、又は壁面（図７参照）にブラケットなどを媒介に設けられる。一方、固定枠１０の形態は、両側面又は一側面にＬＥＤハウジング２０を設け、内部に電源供給装置３０を収容可能な範囲で変更、あるいは変形することができる。なお、固定枠１０は壁面やその他の部材に設けられる固定用ブラケット１１を含む。
【００２１】
ＬＥＤハウジング２０はＬＥＤパネル４０が実質的に装着される部材であって、固定枠１０と同様に直六面体に製作され、固定枠１０の両側面に設けられる。ＬＥＤハウジング２０は、ＬＥＤパネル４０で発生する高温の熱を外部に容易に放出できるようにアルミニウム、又はアルミニウムを含んだ合金材質で製作され、表面に多数の放熱ピン２４を有する。
【００２２】
一方、ＬＥＤハウジング２０は、図３に示されたように胴体部２２と一対の蓋部２６を含む。胴体部２２はコ字状の同一な断面で長く延びた部材であって、圧出成型方式で設けられる照明設備の容量に合わせて製作される。胴体部２２の表面には上記で言及したように、多数の放熱ピン２４が胴体部２２の長さ方向に沿って長く形成される。一対の蓋部２６は大体平たい直四角形の部材であって、胴体部２２の両端（図３の基準では上方と下方）に設けられる。蓋部２６の表面には胴体部２２と同様に多数の放熱ピン２４が形成され、蓋部２６の一側（固定枠１０と対向する面又は方向）には固定枠１０側に突出された突起部２７が形成される。突起部２７には軸部材７０、又は軸部材用ボルト７２が締結される孔２８が形成される。
【００２３】
電源供給装置３０はＬＥＤパネル４０に安定的な電流（例えば、定電流）を供給する装置であって、固定枠１０の内側に設けられてＬＥＤハウジング２０に装着されるＬＥＤパネル４０に電流を供給する。このために、電源供給装置３０は別途電力線（図示せず）を通してＬＥＤパネル４０と連結され、外部の主電源及び補助電源（例えば、停電時に備えた非常用蓄電池）と連結される。参考に、このような電源供給装置３０としてＳＭＰＳ（Ｓｗｉｔｃｈｉｎｇ  Ｍｏｄｅ  Ｐｏｗｅｒ  Ｓｕｐｐｌｙ）が使用されることもある。本実施例において電源供給装置３０は、図３に示されたように電源供給装置用ハウジング３１を介して固定枠１０に設けられる。電源供給装置用ハウジング３１は場合によって備えられないこともあり、このような場合、電源供給装置３０は固定枠１０に直接設けられる。
【００２４】
ＬＥＤパネル４０は多数のＬＥＤが一定間隔に行列配置された部材であって、電源供給装置３０から電流が印加されることにより光を照射する役割をする。ＬＥＤパネル４０はＬＥＤハウジング２０に装着され、好ましくは、ＬＥＤパネル４０から発生する熱がＬＥＤハウジング２０によく伝導されるように、ＬＥＤパネル４０の背面と４つの側面が胴体部２２の内側面と完全に密着される。参考に、ＬＥＤパネル４０とＬＥＤハウジング２０の結合は、接着剤、又はその他に知られている取り付け手段を通して行われる。
【００２５】
連結部材６０は固定枠１０の両側面（図３基準）に設けられ、固定枠１０とＬＥＤハウジング２０を連結する役割をする。連結部材６０は、内部に軸部材７０を収容できる空間（図５参照）を有する。また、連結部材６０の側面（図３基準）には内部空間に通じ、固定手段５０（以下、ボルトと記載する）が締結される複数の締結孔６４が形成され、上下面（図３基準）には軸部材７０が嵌められる軸結合孔６２が形成される。このような連結部材６０は固定枠１０と一体に形成されるか、あるいは溶接又はボルト締結などの方法によって固定枠１０に強固に結合される。
【００２６】
軸部材７０は固定枠１０に対するＬＥＤハウジング２０の回転運動を可能にする部材であって、連結部材６０の内部空間に位置するとともにＬＥＤハウジング２０に固定設置される。更に詳しくは、軸部材７０の胴体は連結部材６０の内側に位置されるが、軸部材７０の両端はボルト７２を介して一対の蓋部２６に各々固定される。従って、軸部材７０はＬＥＤハウジング２０に対して回転（即ち、自転）作動が不可能であるが、連結部材６０に対しては回転作動が可能である。一方、軸部材７０によるＬＥＤハウジング２０の回転位置の固定は、図５に示されたように連結部材６０に締結される固定手段であるボルト５０によって行われる。
【００２７】
上記のようになる本考案のＬＥＤ照明灯１００は、図４に示されたような完成した形態を有する。このような形態でＬＥＤパネル４０が装着されたＬＥＤハウジング２０は、先に説明したように連結部材６０と軸部材７０の結合構造によって固定枠１０に対し任意の角度で回転可能である。従って、使用者がＬＥＤ照明灯１００の使用目的、及び使用先に合わせてＬＥＤハウジング２０の回転角度を調節して照明範囲を調整することができる。
【００２８】
即ち、本考案のＬＥＤ照明灯１００は図６に示されたように、既存設備の街路灯２００に交換設置され、隣り合った街路灯２００と照明範囲が重複されるか、又は照明死角が発生しないようにＬＥＤパネル４０の照明角度を調節することができる。
【００２９】
また、本考案のＬＥＤ照明灯１００は図７に示されたように、垂直壁面に設けられ、ＬＥＤパネル４０を通した照明が壁面やその他の不必要な場所に照射されないようにＬＥＤパネル４０の照明角度を調節することができるため、照明灯を通した照明効率を極大化及び最適化することができる。
【実施例２】
【００３０】
図８は本考案の第２実施例によるＬＥＤ照明灯の部分分離斜視図であり、図９は本考案の第２実施例による固定枠とＬＥＤハウジングの連結部分を詳細に示した部分断面図である。
【００３１】
第２実施例によるＬＥＤ照明灯はＬＥＤハウジング２０と連結部材６０、そして軸部材７０の形状において第２実施例と差異を有する。その他の構成要素は第１実施例と同一であるため、これらの構成要素に対する詳細な説明は省略し、これらの構成要素に対しては第１実施例と同一な図面符号を使用する。
【００３２】
本実施例のＬＥＤハウジング２０は、一側面（正確には固定枠１０と対向する面）に図８に示されたようにＣ字状の断面を有する第２曲面部２１を有する。この第２曲面部２１は  ＬＥＤハウジング２０の長さ方向、即ち、高さ方向に沿って長く形成され、後述する連結部材６０の第１曲面部６１に部分的に収容される。
【００３３】
連結部材６０は、第１面（正確には固定枠１０と対向する面）が平らで、第１面の反対側にある第２面（正確にはＬＥＤハウジング２０と対向する面）は曲面である形態を有する。連結部材６０の第２面（以下では第１曲面部６１と称する）はＣ字状の断面を有し、第２曲面部２１を収容できるように第２曲面部２１の直径より大きい直径を有する。一方、連結部材６０には第１曲面部６１から固定枠１０まで貫通する貫通孔６４が形成される（固定枠１０の側面にも貫通孔６４と通じる孔が形成される）。参考に、連結部材６０は第１実施例で言及したように固定枠１０から分離及び結合可能に設置され、場合によっては固定枠１０に一体に形成されることもある。
【００３４】
軸部材７０は第１実施例と同様に長い円筒形状であるが、中間に軸部材７０の半径方向に貫通する連結孔７１を有する。この連結孔７１は連結部材６０の貫通孔６４と互いに通じる位置に形成される。好ましくは、連結孔７１の一側部分はボルト５０の頭部が嵌められるようにボルト５０の頭部と同一な多角形状であることが良い。
【００３５】
一方、軸部材７０の連結孔７１と連結部材６０の貫通孔、及び固定枠１０の孔（図示せず）を通してはボルト５０が嵌められ、固定枠１０の内側に突出されたボルト５０の端部にはナット５２が締結される。
【００３６】
下記ではこのように変更された構造を有するＬＥＤ照明灯１００のＬＥＤハウジング２０の回転構造を説明する。
【００３７】
本実施例によるＬＥＤ照明灯１００は固定枠１０とＬＥＤハウジング２０の連結構造が図９に示された形態を有する。即ち、ＬＥＤハウジング２０の第２曲面部２１は連結部材６０の第１曲面部６１に収容されるとともに、第１曲面部６１と軸部材７０の間に嵌められた形態をなす。ここで、第１曲面部６１と軸部材７０の周縁面との距離（Ｌ）はボルト５０とナット５２の締結程度によって変化する。
【００３８】
従って、ボルト５０に締結されたナット５２を充分に緩めて第１曲面部６１と軸部材７０の間の距離（Ｌ）を充分に確保すると、ＬＥＤハウジング２０が第１曲面部６１の曲面に沿って動く第２曲面部２１を介して回転することができる（この際に回転中心は軸部材７０である）。
【００３９】
その反面、ＬＥＤハウジング２０の一定角度で回転された状態で、ボルト５０に締結されたナット５２を締めて第１曲面部６１と軸部材７０の間の距離（Ｌ）を縮めると、ＬＥＤハウジング２０の第２曲面部２１が連結部材２０の第１曲面部６１と軸部材７０との間で強固に固定され、ＬＥＤハウジング２０の回転位置が固定されるようになる。
【００４０】
このような構造のＬＥＤ照明灯１００は連結部材６０と軸部材７０によってＬＥＤハウジング２０の回転位置が強固に固定されるため、ＬＥＤハウジング２０に多くのＬＥＤを設けた場合でも、ＬＥＤハウジング２０の回転された位置を確実に保障できる利点がある。
【００４１】
以上では本考案を特定の好ましい実施例に対して示し、説明したが、本考案は上述した実施例にのみ限定されるものではなく、本考案の属する技術分野で通常の知識を有する者なら実用新案登録の請求範囲に記載された本考案の技術的思想の要旨を外れない範囲でいくらでも多様に変更して実施することができる。
【符号の説明】
【００４２】
１００  ＬＥＤ照明灯    
１０    固定枠
２０    ＬＥＤハウジング
２２    胴体部
２４    放熱ピン
２６    蓋部
３０    電源供給装置
４０    ＬＥＤパネル
５０    固定手段
６０    連結部材
６２    軸結合孔
６４    締結孔
７０    軸部材
【図１】
0003155960.tif 000003
【図２】
0003155960.tif 000004
【図３】
0003155960.tif 000005
【図４】
0003155960.tif 000006
【図５】
0003155960.tif 000007
【図６】
0003155960.tif 000008
【図７】
0003155960.tif 000009
【図８】
0003155960.tif 000010
【図９】
0003155960.tif 000011